(57)【要約】【課題】  直管部と屈曲部との組み合わせからなる略四角形状の蛍光ランプに対し、簡便に組み立てることができると共に、落下時に際して蛍光ランプの破損を確実に防止することができる蛍光ランプ用包装体を提供する。【解決手段】  複数の直管部および屈曲部の組合せからなる略四角形状の蛍光ランプＢを載置可能な基板２１を有し、前記基板上に前記蛍光ランプを載置した際に、前記蛍光ランプの内側面に当接して前記蛍光ランプＢが前記基板の外側縁部まで達しないように位置規制（ｍ、ｍ′）を行う蛍光ランプ係止部２３ａ、２３ｂが前記基板に設けられている構成からなる。【選択図】  図３
2005170506.tif 000002
【特許請求の範囲】
【請求項１】
複数の直管部および屈曲部の組合せからなる略四角形状の蛍光ランプを載置可能な基板を有し、前記基板上に前記蛍光ランプを載置した際に、前記蛍光ランプの内側面に当接して前記蛍光ランプが前記基板の外側縁部まで達しないように位置規制を行う蛍光ランプ係止部が前記基板に設けられていることを特徴とする蛍光ランプ用包装体。
【請求項２】
前記基板は、互いに対向する対向辺間の寸法が前記蛍光ランプの外径寸法より大きく、前記蛍光ランプを外部的に保護するための囲繞部材を設けることを特徴とする請求項１記載の蛍光ランプ用包装体。
【請求項３】
前記略四角形状の基板は、前記蛍光ランプの位置規制を行うための蛍光ランプ係止部と、蛍光ランプを外部的に保護するための囲繞部材とを、それぞれ形成するための折曲片を延在してなることを特徴とする請求項２記載の蛍光ランプ用包装体。
【請求項４】
前記略四角形状の基板には、前記折曲片をそれぞれ折り曲げることにより、前記蛍光ランプの位置規制を行うための蛍光ランプ係止部と、蛍光ランプを外部的に保護するための囲繞部とを形成した際に、前記に蛍光ランプ係止部により囲まれた部分に対し、嵌合装着して基板の補強を行うための補強板を設けることを特徴とする請求項３記載の蛍光ランプ用包装体。
【請求項５】
前記囲繞部材は独立した箱体として構成し、前記蛍光ランプの位置規制を行うための蛍光ランプ係止部を設けた基板を、前記蛍光ランプと共に前記箱体に収納するように構成したことを特徴とする請求項２記載の蛍光ランプ用包装体。
【請求項６】
前記略四角形状の基板の左右一対の対向辺において、前記蛍光ランプの位置規制を行うための蛍光ランプ係止部と、これに対応して前記蛍光ランプの左右一対の対向する直管部を保護するための囲繞部とからなる折曲片を設けたことを特徴とする請求項１ないし４のいずれかに記載の蛍光ランプ用包装体。
【請求項７】
前記略四角形状の基板の上下および左右における各一対の対向辺において、前記蛍光ランプの位置規制を行うための蛍光ランプ係止部と、これに対応して前記蛍光ランプの互いに対向する直管部を保護するための囲繞部とからなる折曲片を設けたことを特徴とする請求項１ないし４のいずれかに記載の蛍光ランプ用包装体。
【請求項８】
前記蛍光ランプを囲繞するように外側と内側との寸法を設定する基板は、略四角形状の蛍光ランプの隣接する直管部との関係において、蛍光ランプの位置規制を行うための蛍光ランプ係止部と、蛍光ランプを外部的に保護するための囲繞部材とを一体的に形成する一対の折曲結合基板により構成したことを特徴とする請求項１記載の蛍光ランプ用包装体。
【請求項９】
前記一対の折曲結合基板は、略四角形状の蛍光ランプの隣接する直管部との関係において、蛍光ランプの位置規制を行うための蛍光ランプ係止部と、蛍光ランプを外部的に保護するための囲繞部材とからなる折曲片を設け、中位部において直角に折曲げ可能な折曲部を設けると共に、両端部に相互に結合可能な嵌合結合部を設けたことを特徴とする請求項８記載の蛍光ランプ用包装体。
【請求項１０】
複数の直管部および屈曲部の組合せからなる略四角形状の蛍光ランプを載置可能な基板と；
前記基板に設けられ、前記基板上に前記蛍光ランプを載置した際に、前記蛍光ランプの４辺を構成する直管部においてそれぞれの内側面にて当接し、前記蛍光ランプの前記基板内における平面移動を位置規制する平面移動規制手段と；
平面移動規制手段により位置規制された前記蛍光ランプの少なくとも対向する２辺を構成する直管部において係止し、前記基板に直交する方向について前記蛍光ランプの脱落を防止する係止手段と；
を具備することを特徴とする蛍光ランプ用包装体。
【請求項１１】
基板は蛍光ランプの外周部よりやや大きい略四角形をなしており；
平面移動規制手段は、前記基板の対向する２辺から外側に設けられた展開状態において概ね四角形をなす２つの脇板を、それぞれ基板側に折り曲げて凸に形成した２つの箱体部により構成されており；
前記２つの箱体部の間の基板には、基板から切り出されて突出するように折り曲げられ、前記箱体を形成する脇板の先端を固定するストッパが設けられていることを特徴とする請求項１０に記載の蛍光ランプ用包装体。
【請求項１２】
係止手段は、２つの箱体部の一部を切り出して基板の外側へ向かって突出させた突片により構成されていることを特徴とする請求項１０または請求項１１に記載の蛍光ランプ用包装体。
【発明の詳細な説明】
【技術分野】
【０００１】
本発明は、蛍光ランプの保護および販売展示に好適な包装体に係り、特に１本の放電路を形成するバルブを、直管部と屈曲部との組み合わせにより、同一平面においてほぼ四角形状に形成してなる、新規な構成からなる蛍光ランプ用包装体に関するものである。
【背景技術】
【０００２】
従来、蛍光ランプ用包装体として、環状の蛍光ランプの外径寸法に適合した段ボールを打ち抜き加工して箱状に組立て構成したものが一般的に知られており、広く実用化されている。
【０００３】
また、従来より、蛍光ランプの用途上の便宜から、大小異径の環状の蛍光ランプを一組とし、共通の包装体に一体化させて収納して、販売することも行われている。この場合、小径の環状ランプを、その外径寸法に適合した段ボールを打ち抜き加工して立体的に組立て構成した保持具に保持させ、次いで大径の環状ランプを保持具に内接するように嵌合保持させる。これを大径の環状ランプの外径寸法に適合した段ボールを打ち抜き加工して箱状に組立て構成した外箱に収納して環状の蛍光ランプを保護し、輸送、保管および販売展示が行われる。
【０００４】
しかしながら、前述したような従来の蛍光ランプ用包装体においては、段ボール等の素材の使用量が多いばかりでなく、緩衝材の使用も不可欠であり、このため材料コストが増大すると共に、組立てに際しても貼り合わせ加工等が必要であるために製造コストが増大し、さらには蛍光ランプの収納前における空箱状での占有容積が増大することから輸送および保管等の経費が増大する等の難点がある。
【０００５】
このような観点から、従来において、素材の使用量を少なくし、貼り合わせ加工等を不要として、環状の小径ランプと、この小径ランプよりも径の大きい大径ランプを保持するように構成した環状ランプの箱詰め用保持具が提案されている（特許文献１参照）。
【０００６】
すなわち、前記特許文献１に記載の環状ランプの箱詰め用保持具は、環状の小径ランプと、この小径ランプよりも径の大きい大径ランプを保持するように構成した環状ランプの箱詰め用保持具において、段ボール等の紙板材の打ち抜き加工により、前記小径ランプが載置されている基部の両側に、この基部に対し階段状に折り曲げられて前記小径ランプの水平一方向の動きを規制するランプ規制部が連続して設けられ、この両側ランプ規制部に、前記基部との間で小径ランプを上下方向に挟み込むフラップとこの挟み込み部分でランプが水平方向に嵌まり込む窓孔を形成するための切り込みが設けられる一方、前記ランプ規制部の外周縁部に、前記大径ランプに内接して同ランプを保持する大径ランプ保持部が設けられ、かつ、前記基部に、前記大径ランプよりも外周側にはみ出ない状態で同ランプを下側から受ける大径ランプ受け部が延設された構成からなるものである。
【０００７】
また、前記環状ランプの箱詰め用保持具は、段ボール等の紙板材により、前記小径ランプが載置されている基部の両側に、この基部に対し階段状に連続して前記小径ランプの水平一方向の動きを規制するランプ規制部が設けられ、この両側ランプ規制部に、前記基部との間で小径ランプを上下方向に挟み込むフラップとこのフラップと基部との間に挟み込まれたランプ部分が水平方向に嵌まり込む窓孔とが切り込みによって形成される一方、前記ランプ規制部の外周縁部に、前記大径ランプに内接して同ランプを保持する大径ランプ保持部が設けられ、かつ、前記基部に、前記大径ランプよりも外周側にはみ出ない状態で同ランプを下側から受ける大径ランプ受け部が延設された構成からなるものである。
【０００８】
【特許文献１】特開平１０−１８１７８４号公報
【発明の開示】
【発明が解決しようとする課題】
【０００９】
しかるに、本出願人は、先に、新規な構成からなる蛍光ランプとして、４個所の直管部と４個所の屈曲部とにより略四角形状に形成し、この略四角形状の一辺の略中央に口金を設けた蛍光ランプを開発した。すなわち、この蛍光ランプは、管外径が１２〜２０ｍｍの１本の直管状バルブの屈曲部形成予定部のみを加熱して曲げ加工により、内側面と外側面の曲率半径の中心が略同一位置にあって管径が隣接する直管部の管径と略同一の複数の屈曲部を形成し、一対の端部が互いに対向するように屈曲部を介して直管部を同一平面状に配設し、直管部および屈曲部を介して１本の放電路が形成されるように両端部にそれぞれ電極を封装し、内面に蛍光体層を形成し、水銀を含む放電媒体が封入してなるバルブと、このバルブの両端部に設けた口金とを具備したものである。
【００１０】
このように構成された蛍光ランプは、直管部に形成された蛍光体層の熱劣化が低減されて初期光束の低下が抑制され、より高効率で点灯することが可能となるという特徴を有するものである。
【００１１】
そこで、このような新規な構成からなる蛍光ランプを、保護するために必要な包装体を得る場合、前述した従来の蛍光ランプ用包装体をそのまま適用することは不適当である。なぜなら、前記略四角形状の蛍光ランプは、バルブの屈曲部に応力が集中し易いことから、外部からの衝撃によってバルブが破損し易いためである。
【００１２】
従って、本発明の目的は、直管部と屈曲部との組み合わせからなる略四角形状の蛍光ランプに対し、簡便に組み立てることができると共に、落下時に際して蛍光ランプの破損を確実に防止することができる蛍光ランプ用包装体を提供することにある。
【課題を解決するための手段】
【００１３】
前記目的を達成するため、本願の請求項１に記載の蛍光ランプ用包装体は、複数の直管部および屈曲部の組合せからなる略四角形状の蛍光ランプを載置可能な基板を有し、前記基板上に前記蛍光ランプを載置した際に、前記蛍光ランプの内側面に当接して前記蛍光ランプが前記基板の外側縁部まで達しないように位置規制を行う蛍光ランプ係止部が前記基板に設けられていることを特徴とする。
【００１４】
本願の請求項２に記載の蛍光ランプ用包装体において、前記基板は、互いに対向する対向辺間の寸法が前記蛍光ランプの外径寸法より大きく、前記蛍光ランプを外部的に保護するための囲繞部材を設けることを特徴とする。
【００１５】
本願の請求項３に記載の蛍光ランプ用包装体において、前記略四角形状の基板は、前記蛍光ランプの位置規制を行うための蛍光ランプ係止部と、蛍光ランプを外部的に保護するための囲繞部材とを、それぞれ形成するための折曲片を延在してなることを特徴とする。
【００１６】
本願の請求項４に記載の蛍光ランプ用包装体において、前記略四角形状の基板には、前記折曲片をそれぞれ折り曲げることにより、前記蛍光ランプの位置規制を行うための蛍光ランプ係止部と、蛍光ランプを外部的に保護するための囲繞部とを形成した際に、前記に蛍光ランプ係止部により囲まれた部分に対し、嵌合装着して基板の補強を行うための補強板を設けることを特徴とする。
【００１７】
本願の請求項５に記載の蛍光ランプ用包装体は、前記囲繞部材は独立した箱体として構成し、前記蛍光ランプの位置規制を行うための蛍光ランプ係止部を設けた基板を、前記蛍光ランプと共に前記箱体に収納するように構成したことを特徴とする。
【００１８】
本願の請求項６に記載の蛍光ランプ用包装体は、前記略四角形状の基板の左右一対の対向辺において、前記蛍光ランプの位置規制を行うための蛍光ランプ係止部と、これに対応して前記蛍光ランプの左右一対の対向する直管部を保護するための囲繞部とからなる折曲片を設けたことを特徴とする。
【００１９】
本願の請求項７に記載の蛍光ランプ用包装体は、前記略四角形状の基板の上下および左右における各一対の対向辺において、前記蛍光ランプの位置規制を行うための蛍光ランプ係止部と、これに対応して前記蛍光ランプの互いに対向する直管部を保護するための囲繞部とからなる折曲片を設けたことを特徴とする。
【００２０】
本願の請求項８に記載の蛍光ランプ用包装体は、前記蛍光ランプを囲繞するように外側と内側との寸法を設定する基板は、略四角形状の蛍光ランプの隣接する直管部との関係において、蛍光ランプの位置規制を行うための蛍光ランプ係止部と、蛍光ランプを外部的に保護するための囲繞部材とを一体的に形成する一対の折曲結合基板により構成したことを特徴とする。
【００２１】
本願の請求項９に記載の蛍光ランプ用包装体は、前記一対の折曲結合基板において、略四角形状の蛍光ランプの隣接する直管部との関係により、蛍光ランプの位置規制を行うための蛍光ランプ係止部と、蛍光ランプを外部的に保護するための囲繞部材とからなる折曲片を設け、中位部において直角に折曲げ可能な折曲部を設けると共に、両端部に相互に結合可能な嵌合結合部を設けたことを特徴とする。
【００２２】
本願の請求項１０に記載の蛍光ランプ用包装体は、複数の直管部および屈曲部の組合せからなる略四角形状の蛍光ランプを載置可能な基板と；前記基板に設けられ、前記基板上に前記蛍光ランプを載置した際に、前記蛍光ランプの４辺を構成する直管部においてそれぞれの内側面にて当接し、前記蛍光ランプの前記基板内における平面移動を位置規制する平面移動規制手段と；平面移動規制手段により位置規制された前記蛍光ランプの少なくとも対向する２辺を構成する直管部において係止し、前記基板に直交する方向について前記蛍光ランプの脱落を防止する係止手段と；を具備することを特徴とする。
【００２３】
本願の請求項１１に記載の蛍光ランプ用包装体では、基板は蛍光ランプの外周部よりやや大きい略四角形をなしており；平面移動規制手段は、前記基板の対向する２辺から外側に設けられた展開状態において概ね四角形をなす２つの脇板を、それぞれ基板側に折り曲げて凸に形成した２つの箱体部により構成されており；前記２つの箱体部の間の基板には、基板から切り出されて突出するように折り曲げられ、前記箱体を形成する脇板の先端を固定するストッパが設けられていることを特徴とする。
【００２４】
本願の請求項１２に記載の蛍光ランプ用包装体では、係止手段は、２つの箱体部の一部を切り出して基板の外側へ向かって突出させた突片により構成されていることを特徴とする。
【発明の効果】
【００２５】
本願の請求項１に記載の蛍光ランプ用包装体によれば、直管部と屈曲部との組み合わせからなる略四角形状の蛍光ランプに対し、簡便に組み立てることができると共に、落下時に蛍光ランプの破損を確実に防止することができる。
【００２６】
本願の請求項２に記載の蛍光ランプ用包装体によれば、略四角形状の蛍光ランプに適合した形状の基板を使用することにより、蛍光ランプの直管部と屈曲部とを適正な規制位置に確実に囲繞保持して、蛍光ランプの輸送、保管および販売展示に際しての安全性を高めることができる。
【００２７】
本願の請求項３に記載の蛍光ランプ用包装体によれば、蛍光ランプの位置規制を行うための蛍光ランプ係止と、蛍光ランプの外部的な保護とを、同時に行うよう構成することができる。
【００２８】
本願の請求項４に記載の蛍光ランプ用包装体によれば、略四角形状の蛍光ランプに適合した形状の基板を使用する場合において、補強板の適用によってたわみ防止等の強度を高めることができる。
【００２９】
本願の請求項５に記載の蛍光ランプ用包装体によれば、従来の箱体を使用する場合においても、本発明用包装体を容易に適用することができる。
【００３０】
本願の請求項６に記載の蛍光ランプ用包装体によれば、蛍光ランプの位置規制を行うための蛍光ランプ係止部と、これに対応して前記蛍光ランプの直管部を保護するための囲繞部とを、略四角形状の基板の左右一対の対向辺において、簡便な構成により実現することができる。
【００３１】
本願の請求項７に記載の蛍光ランプ用包装体によれば、蛍光ランプの位置規制を行うための蛍光ランプ係止部と、これに対応して前記蛍光ランプの直管部を保護するための囲繞部とを、略四角形状の基板の上下および左右における各一対の対向辺において、簡便な構成により実現することができる。
【００３２】
本願の請求項８に記載の蛍光ランプ用包装体によれば、蛍光ランプの位置規制を行うための蛍光ランプ係止部と、これに対応して前記蛍光ランプの直管部を保護するための囲繞部材とを、略四角形状の蛍光ランプの隣接する直管部との関係において、一対の折曲結合基板により構成することができる。
【００３３】
本願の請求項９に記載の蛍光ランプ用包装体によれば、一対の折曲結合基板による蛍光ランプの位置規制を行うための蛍光ランプ係止部と、これに対応して前記蛍光ランプの直管部を保護するための囲繞部材との形成を、簡便な構成により容易に実現することができる。
【００３４】
本願の請求項１０に記載の蛍光ランプ用包装体によれば、平面移動規制手段が直管部においてそれぞれの内側面にて当接し、蛍光ランプの基板内における平面移動を位置規制するので、応力集中が生じ易いバルブの屈曲部が蛍光ランプ用包装体に触れることなく、外部からの衝撃による破壊を回避し易いという効果がある。また、係止手段により直管部が係止され、基板に直交する方向について蛍光ランプの脱落が防止される効果がある。
【００３５】
本願の請求項１１に記載の蛍光ランプ用包装体によれば、平面移動規制手段が、基板の対向する２辺から外側に設けられた展開状態において概ね四角形をなす２つの脇板により構成されるので、簡便な構成により蛍光ランプ用包装体を実現できる。
【００３６】
本願の請求項１２に記載の蛍光ランプ用包装体によれば、係止手段が、２つの箱体部の一部を切り出して基板の外側へ向かって突出させた突片により構成されるので、簡便な構成により蛍光ランプ用包装体を実現できる。
【発明を実施するための最良の形態】
【００３７】
次に、本発明に係る蛍光ランプ用包装体の実施例につき、添付図面を参照しながら、以下詳細に説明する。
【００３８】
［包装体の基本構成］
図１は、本発明に係る蛍光ランプ用包装体の共通する基本構成を示すものである。すなわち、図１において、参照符号１０は略四角形状の基板を示し、この基板１０はそれぞれ対向辺の外側寸法をｎ、ｎ′として設定され、この基板１０上において、それぞれ直管部と屈曲部との組み合わせからなる略四角形状の蛍光ランプＢを載置し得るように構成される。すなわち、蛍光ランプＢは、それぞれ直管部の対向する部分の内径寸法（内側面間の寸法）をａ、ａ′とし、外径寸法（外側面間の寸法）をｂ、ｂ′とした構成からなり、前記基板１０上において蛍光ランプＢの内径側において、蛍光ランプＢが基板１０の外側縁部ＥL まで達しないように位置規制を行う規制ラインＲL を寸法ｍ、ｍ′の間隔を置いて設定する。
【００３９】
従って、本発明における蛍光ランプ用包装体の基本構成としては、蛍光ランプＢのそれぞれ対向する直管部の内径寸法ａ、ａ′と外周寸法ｂ、ｂ′とに対する、包装体を構成する基板１０の外側寸法ｎ、ｎ′と蛍光ランプＢの位置規制を行うための寸法ｍ、ｍ′の関係は次式の通りである。
ｎ＞ｂ＞ａ＞ｍおよびｎ′＞ｂ′＞ａ′＞ｍ′  …(1) 
ｎ−ｂ＞ａ−ｍおよびｎ′−ｂ′＞ａ′−ｍ′  …(2) 
【００４０】
前記式(1) 、(2) の関係を満足するように、包装体の基板１０の寸法を設定することにより、前記構成からなる蛍光ランプＢを、前記基板１０上の適正な位置に保持して、輸送、保管および販売展示に際して十分な安全性を確保することができる、蛍光ランプＢ用包装体を得ることができる。この場合、例えば前記外側寸法ｎ、ｎ′が設定された略四角形状の基板１０に対し、前記蛍光ランプＢの位置規制（ｍ、ｍ′）を行う規制ラインＲL に対応する蛍光ランプ係止部と、蛍光ランプＢを外部的に保護するための囲繞部材とを、それぞれ形成するための折曲片を延在設定することにより、容易に実施化することができる。
【実施例１】
【００４１】
図２および図３は、本発明に係る蛍光ランプ用包装体の第１の実施例を示すものである。図２は、本実施例における蛍光ランプ用包装体２０の完成状態を示し、図３の（ａ）は、本実施例における包装体の分解展開図を示す。しかるに、本実施例における蛍光ランプＢの包装体２０においては、略四角形状の基板２１の左右一対の対向辺において、前述した蛍光ランプＢの位置規制（ｍ、ｍ′）を行うための蛍光ランプ係止部２３ａ、２３ｂと、これに対応して前記蛍光ランプＢの左右一対の対向する直管部を外部的に保護するための囲繞部２４ａ、２５ａ、２６ａおよび２４ｂ、２５ｂ、２６ｂとからなる折曲片２２Ａ、２２Ｂを設けた構成からなる〔図３の（ａ）参照〕。この場合、前記折曲片２２Ａ、２２Ｂの蛍光ランプ係止部２３ａ、２３ｂは、基板２１の外側寸法ｎに対し、図示のように、蛍光ランプＢの位置規制を行うための寸法ｍ、ｍ′となるように位置設定する。なお、前記基板２１の四隅部には、それぞれ図示のように切欠部２１ａ、２１ａ、２１ｂ、２１ｂを設けると共に、これに対応して前記折曲片２２Ａ、２２Ｂの終端隅角部には、図示のように突出部２６ａ′、２６ａ′、２６ｂ′、２６ｂ′を設ける。また、前記基板２１の一側縁部には、図示のように販売展示に際して懸吊するための係止片２１ｃを突設する。
【００４２】
図３の（ｂ）は、本実施例における包装体２０に適用する補助部材であって、図３の  （ａ）に示す包装体２０の基板２１に対して、重畳装着して基板２１のたわみを防止するように補強するための補強板２８を示すものである。すなわち、この補強板２８は、図示のように前記基板２１と同様の寸法に設定される。なお、本実施例の補強板２８においては、一側縁部の両端部に、それぞれ基板２１に対して係止するための切り込みを設けた突出片２８ａ、２８ｂが設けられている。
【００４３】
図４の（ａ）、（ｂ）は、本発明用包装体を適用する蛍光ランプＢを示すものである。すなわち、図４の（ａ）、（ｂ）において、本発明において適用される蛍光ランプＢは、４個所の直管部ＢS1、ＢS2、ＢS3、ＢS4と４個所の屈曲部ＢW1、ＢW2、ＢW3、ＢW4とにより略四角形状に形成されており、この略四角形状の一辺の略中央に口金Ｓが設けられた構成からなる。しかるに、この蛍光ランプＢは、管外径が１２〜２０ｍｍの１本の直管状バルブの屈曲部形成予定部のみを加熱して曲げ加工により、内側面と外側面の曲率半径の中心が略同一位置にあって管径が隣接する直管部ＢS1、ＢS2、ＢS3、ＢS4の管径と略同一の複数の屈曲部ＢW1、ＢW2、ＢW3、ＢW4を形成し、一対の端部が互いに対向するように屈曲部ＢW1〜ＢW4を介して直管部ＢS1〜ＢS4を同一平面状に配設し、直管部ＢS1〜ＢS4および屈曲部ＢW1〜ＢW4を介して１本の放電路が形成されるように両端部にそれぞれ電極が封装され、内面に蛍光体層が形成され、水銀を含む放電媒体が封入されたバルブＢと、このバルブの両端部に設けられた口金Ｓと、を具備した構成からなる。
【００４４】
図５は、前述した図３に示す第１の実施例における蛍光ランプ用包装体の組み立て状態を示すものである。すなわち、図５において、本実施例における蛍光ランプ用包装体２０によれば、基板２１の左右一対の対向辺に設けた蛍光ランプＢの位置規制（ｍ、ｍ′）を行うための蛍光ランプ係止部２３ａ、２３ｂを起立させ、次いで折曲片２２Ａ、２２Ｂの囲繞部２４ａ、２５ａ、２６ａおよび２４ｂ、２５ｂ、２６ｂを順次山折りして、図示のように組み立てる。この場合、図示しないが、蛍光ランプを予め前記起立させた蛍光ランプ係止部２３ａ、２３ｂの外側に装着する。この蛍光ランプの装着に際しては、前記基板２１に設けた点線以下の部分を下方に折り曲げて、蛍光ランプを位置決めした後、前記折り曲げた部分を基板と面一になるようにして、容易に装着することができる。そして、このように蛍光ランプ係止部２３ａ、２３ｂに装着された蛍光ランプに対し、これを囲繞するように前記囲繞部２４ａ、２５ａ、２６ａおよび２４ｂ、２５ｂ、２６ｂを順次折り込むことによって、蛍光ランプを包装することができる。しかる後、補強板２８を、前記基板２１の上に重ねるようにして図示のように挿入装着する。この場合、補強板２８の突出片２８ａ、２８ｂが、それぞれ切り込みを介して前記蛍光ランプ係止部２３ａ、２３ｂに嵌合して、本実施例における包装体２０の組み立て状態を維持することができる。
【００４５】
なお、前記構成からなる本実施例用包装体２０によれば、蛍光ランプの一部が外部に露呈するため、図６に示す構成からなる透明プラスチック製の保護カバーＣを被着する。従って、このように構成することにより、蛍光ランプの輸送、保管および販売展示に際しての安全性を充分に確保することができる。
【実施例２】
【００４６】
図７ないし図９は、本発明に係る蛍光ランプ用包装体の第２の実施例を示すものである。図７は、本実施例における蛍光ランプ用包装体３０の完成状態を示し、図８の（ａ）は、本実施例における包装体３０の分解展開図を示す。しかるに、本実施例における蛍光ランプ用包装体３０においては、略四角形状の基板３１の上下および左右における各一対の対向辺において、前述した蛍光ランプＢの位置規制（ｍ、ｍ′）を行うための蛍光ランプ係止部３３ａ、３３ｂ、３３ａ′、３３ｂ′と、これに対応して前記蛍光ランプＢのそれぞれ対向する直管部ＢS1〜ＢS4を外部的に保護するための囲繞部３４ａ、３５ａ、３６ａおよび３４ｂ、３５ｂ、３６ｂと、３４ａ′、３５ａ′、３６ａ′および３４ｂ′、３５ｂ′、３６ｂ′とからなる折曲片３２Ａ、３２Ｂ、３２Ａ′、３２Ｂ′を設けた構成からなる〔図８の（ａ）参照〕。また、前記基板３１の四隅部において、蛍光ランプＢのそれぞれ対向する屈曲部ＢW1〜ＢW4を外部的に囲繞保護するための折曲片３７Ａ、３７Ｂ、３７Ｃ、３７Ｄが設けられる。この場合、前記折曲片３２Ａ、３２Ｂ、３２Ａ′、３２Ｂ′の蛍光ランプ係止部３３ａ、３３ｂ、３３ａ′、３３ｂ′は、基板３１の外側寸法ｎに対し、後述するように、蛍光ランプＢの位置規制を行うための寸法ｍ、ｍ′となるよう位置設定される。なお、前記基板３１の一側縁部に対応して、図示のように販売展示に際して懸吊するための係止片３６ｃを突設する。
【００４７】
図８の（ｂ）は、本実施例における包装体３０に適用する補助部材であって、図８の  （ａ）に示す包装体３０の基板３１に対して、重畳装着して基板３１のたわみを防止するように補強するための補強板３８を示すものである。すなわち、この補強板３８は、図示のように前記基板３１と同様の寸法に設定される。なお、本実施例の補強板３８において
は、一対の対向する側縁部には、それぞれ基板３１に対して係止するための突出部３８ａ、３８ｂが設けられ、他の一対の対向する側縁部には、適宜切欠部３８ａ′、３８ｂ′が設けられている。また、前記補強板３８の突出部２８ａ、２８ｂに対応して、前記蛍光ランプ係止部３３ａ、３３ｂの適所に切込みが設けられる。さらに、本実施例においては、前記蛍光ランプ係止部３３ａ′、３３ｂ′の適所には、補強板３８によって係止される切開突出片が適宜設けられている。
【００４８】
図９は、前述した図８に示す第２の実施例における蛍光ランプ用包装体３０の組み立て状態を示すものである。すなわち、図９において、本実施例における蛍光ランプ用包装体３０によれば、基板３１の上下および左右における各一対の対向辺に設けた折曲片３２Ａ、３２Ｂ、３２Ａ′、３２Ｂ′を順次谷折りして、蛍光ランプＢの位置規制（ｍ、ｍ′）を行うための蛍光ランプ係止部３３ａ、３３ｂ、３３ａ′、３３ｂ′を位置決めすると共に、蛍光ランプの囲繞部３４ａ、３５ａ、３６ａおよび３４ｂ、３５ｂ、３６ｂと、３４ａ′、３５ａ′、３６ａ′および３４ｂ′、３５ｂ′、３６ｂ′とが形成されるように、図示のように組み立てられる。この場合、図示しないが、蛍光ランプを予め基板３１上に載置して、この蛍光ランプを囲繞するように前記折曲片３２Ａ、３２Ｂ、３２Ａ′、３２Ｂ′を順次折り込むことによって、蛍光ランプを包装することができる。しかる後、補強板３８を、前記基板３１の上に重ねるようにして図示のように装着する。この場合、補強板３８の突出部２８ａ、２８ｂが、前記蛍光ランプ係止部３３ａ、３３ｂに設けた切込みに嵌合して、本実施例における包装体３０の組み立て状態を維持することができる。
【実施例３】
【００４９】
図１０ないし図１２は、本発明に係る蛍光ランプ用包装体の第３の実施例を示すものである。図１０は、本実施例における蛍光ランプ用包装体４０の完成状態を示し、図１１の（ａ）は、本実施例における包装体４０の分解展開図を示す。しかるに、本実施例における蛍光ランプ用包装体４０においては、略四角形状の基板４１の上下および左右における各一対の対向辺において、前述した蛍光ランプＢの位置規制（ｍ、ｍ′）を行うための蛍光ランプ係止部４３ａ、４３ｂ、４３ａ′、４３ｂ′と、これに対応して前記蛍光ランプＢのそれぞれ対向する直管部ＢS1〜ＢS4を外部的に保護するための囲繞部４４ａ、４５ａ、４６ａおよび４４ｂ、４５ｂ、４６ｂと、４４ａ′、４５ａ′、４６ａ′および４４ｂ′、４５ｂ′、４６ｂ′とからなる折曲片４２Ａ、４２Ｂ、４２Ａ′、４２Ｂ′を設けた構成からなる〔図１１の（ａ）参照〕。また、前記基板４１の四隅部において、蛍光ランプＢのそれぞれ対向する屈曲部ＢW1〜ＢW4を外部的に囲繞保護するための折曲片４７Ａ、４７Ｂ、４７Ｃ、４７Ｄが設けられる。この場合、前記折曲片４２Ａ、４２Ｂ、４２Ａ′、４２Ｂ′の蛍光ランプ係止部４３ａ、４３ｂ、４３ａ′、４３ｂ′は、基板４１の外側寸法ｎに対し、後述するように、蛍光ランプＢの位置規制を行うための寸法ｍ、ｍ′となるよう位置設定される。
【００５０】
図１１の（ｂ）は、本実施例における包装体４０に適用する補助部材であって、図１１の（ａ）に示す包装体４０の基板４１に対して、重畳装着して基板４１のたわみを防止するように補強するための補強板４８を示すものである。すなわち、この補強板４８は、図示のように前記基板４１と同様の寸法に設定される。なお、本実施例の補強板４８においては、一対の対向する側縁部には、それぞれ基板４１に対して係止するための突出部４８ａ、４８ｂが設けられ、他の一対の対向する側縁部にも、適宜突出部４８ａ′、４８ｂ′が設けられている。また、前記補強板３８の突出部２８ａ、２８ｂ、４８ａ′、４８ｂ′に対応して、前記蛍光ランプ係止部４３ａ、４３ｂ、４３ａ′、４３ｂ′の適所に切込みが設けられる。さらに、本実施例においては、前記基板４１の一側縁部に対応して、図示のように販売展示に際して懸吊するための係止片４８ｃを突設する。
【００５１】
図１２は、前述した図１１に示す第３の実施例における蛍光ランプ用包装体４０の組み立て状態を示すものである。すなわち、図１２において、本実施例の蛍光ランプ用包装体４０によれば、基板４１の上下および左右における各一対の対向辺に設けた折曲片４２Ａ、４２Ｂ、４２Ａ′、４２Ｂ′を順次谷折りして、蛍光ランプＢの位置規制（ｍ、ｍ′）を行うための蛍光ランプ係止部４３ａ、４３ｂ、４３ａ′、４３ｂ′を位置決めすると共に、蛍光ランプの囲繞部４４ａ、４５ａ、４６ａおよび４４ｂ、４５ｂ、４６ｂと、４４ａ′、４５ａ′、４６ａ′および４４ｂ′、４５ｂ′、４６ｂ′とが形成されるように、図示のように組み立てられる。この場合、図示しないが、蛍光ランプを予め基板４１上に載置して、この蛍光ランプを囲繞するように前記折曲片４２Ａ、４２Ｂ、４２Ａ′、４２Ｂ′を順次折り込むことによって、蛍光ランプを包装することができる。しかる後、補強板４８を、前記基板４１の上に重ねるようにして図示のように装着する。この場合、補強板４８の突出部４８ａ、４８ｂ、４８ａ′、４８ｂ′が、前記蛍光ランプ係止部４３ａ、４３ｂ、４３ａ′、４３ｂ′に設けた切込みに嵌合して、本実施例における包装体４０の組み立て状態を維持することができる。
【実施例４】
【００５２】
図１３ないし図１５は、本発明に係る蛍光ランプ用包装体の第４の実施例を示すものである。図１３は、本実施例における蛍光ランプ用包装体５０の完成状態を示し、図１４は、本実施例における包装体５０の分解展開図を示す。しかるに、本実施例における蛍光ランプ用包装体５０においては、略四角形状の蛍光ランプの隣接する直管部ＢS1〜ＢS4との関係において、前述した蛍光ランプＢの位置規制（ｍ、ｍ′）を行うための蛍光ランプ係止部５３ａ、５３ａ′、５３ｂ、５３ｂ′と、これに対応して前記蛍光ランプＢのそれぞれ対向する直管部ＢS1〜ＢS4と屈曲部ＢW1〜ＢW4とを外部的に保護するための囲繞部５４ａ、５５ａ、５６ａおよび５４ａ′、５５ａ′、５６ａ′と、５４ｂ、５５ｂ、５６ｂおよび５４ｂ′、５５ｂ′、５６ｂ′とからなる折曲片５２Ａ、５２Ｂを設けた、一対の折曲結合基板５１Ａ、５１Ｂを備えた構成からなる〔図１４参照〕。なお、前記一対の折曲結合基板５１Ａ、５１Ｂにおいて、それぞれ対応する蛍光ランプ係止部５３ａと５３ａ、５３ａ′と５３ａ′、５３ｂと５３ｂ、５３ｂ′と５３ｂ′には、相互に結合するための折込み結合片５３ｃ、５３ｄがそれぞれ設けられる。また、前記一対の折曲結合基板５１Ａ、５１Ｂは、その中位部において略直角に折曲げ可能な折曲部５７Ａ、５７Ｂが設けられると共に、両端部には相互に結合可能な嵌合結合部５８ａ、５８ｂがそれぞれ設けられる。さらに、本実施例においては、前記折曲結合基板５１Ａの一側縁部には、図示のように販売展示に際して懸吊するための係止片５６ｃを突設する。
【００５３】
図１５は、前述した図１４に示す第４の実施例における蛍光ランプ用包装体５０の組み立て状態を示すものである。すなわち、図１５において、本実施例の蛍光ランプ用包装体５０によれば、まず、一方の折曲結合基板５１Ａに設けた折曲片５２Ａを順次山折りして、蛍光ランプＢの位置規制（ｍ、ｍ′）を行うための蛍光ランプ係止部５３ａ、５３′を形成すると共に、蛍光ランプの囲繞部５４ａ、５５ａ、５６ａおよび５４ａ′、５５ａ′、５６ａ′が形成されるように、図示のように組み立てられる。この場合、図示しないが、蛍光ランプを予め折曲結合基板５１Ａ上に載置して、この蛍光ランプを囲繞するように前記折曲片５２Ａを順次折り込むことによって、蛍光ランプを包装することができる。次いで、図示を省略したが、一方の折曲結合基板５１に設けた折曲片５２Ｂを順次山折りして、前記と同様に組み立て、折曲結合基板５１Ａ、５１Ｂの両端部に設けた嵌合結合部５８ａ、５８ｂを相互に嵌合結合して、本実施例の蛍光ランプ用包装体５０を組み立てることができる。
【実施例５】
【００５４】
図１６は、本発明に係る蛍光ランプ用包装体の第５の実施例を示すものである。すなわち、図１６において、本実施例の蛍光ランプ用包装体６０においては、略四角形状の蛍光ランプＢの位置規制（ｍ、ｍ′）を行うための蛍光ランプ係止部６３を設けた蛍光ランプ保持基板６１と、この蛍光ランプ保持基板６１を蛍光ランプＢと共に収納する箱体６４とから構成したものである。この場合、前記蛍光ランプ保持基板６１およびこれを収納する箱体６４の寸法は、それぞれ前述した図１に示す基板１０の寸法に対応するように設定する。
【実施例６】
【００５５】
図１７は、本実施例に係る蛍光ランプ用包装体７０の展開図である。中央に略四角形をなしている基板７１が設けられ、上記基板７１の対向する２辺から外側に設けられた展開状態において概ね四角形をなす２つの脇板７２、７２が備えられている。脇板７２の長さＬは、蛍光ランプＢの内径ａにほぼ等しくされている。
【００５６】
基板７１と脇板７２との接続部７３は、基板７１の側縁から蛍光ランプＢの管径より僅かに長い距離だけ、基板７１の内側に進んだ位置に設けられている。接続部７３の部分を走る折り目ライン７４ａに平行して、折り目ライン７４ｂ、７４ｃ、７４ｄが設けられている。折り目ライン７４ａ、７４ｂ、７４ｃは、いずれも図１７の状態において、谷折りされるラインであり、折り目ライン７４ｄは、図１７の状態において、山折りされるラインである。折り目ライン７４ｂの一部には切り込みが、折り目ライン７４ｂからやや斜めに基板７１側へ進み、この位置において折り目ライン７４ｂに平行するように僅かに進み、この位置において斜めに折り目ライン７４ｂ側へ進み、折り目ライン７４ｂを終点とするように形成されており、この切り込みが存在することによって、折り目ライン７４ａ、７４ｂを谷折りしたときに基板７１の外側へ向かって突出する突片７５が出現するようになされている。
【００５７】
脇板７２の先端辺の中央位置には、脇板７２の内側に向かって切り込まれた切込部７６が形成されている。基板７１の中央部には、細長のストッパ８１を作成する切り込みが設けられており、ストッパ８１の上部には指掛け穴８２が穿設され、ストッパ８１の底辺部は図の状態において谷折りとなる折り目ライン８３が設けられている。
【００５８】
折り目ライン７４ａ、７４ｂ、７４ｃを谷折りし、折り目ライン７４ｄを山折りしたときに、脇板７２は図１８の斜視図に示すように、凸に形成された箱体部７９となる。箱体部７９の天板７７ｂは折り目ライン７４ｂと折り目ライン７４ｃとにより区切られた脇板７２の領域であり、折り目ライン７４ｄと脇板７２の先端辺とにより区切られた脇板７２の領域により構成される先端面７７ｄが、基板７１の上面に面接触するようにされ、脇板７２の先端辺の中央位置に形成された切込部７６がストッパ８１の付根に係合される。
【００５９】
折り目ライン７４ａと折り目ライン７４ｂとにより区切られた脇板７２の領域は、箱体部７９の外側で直角に立設した外側壁７７ａとなり、折り目ライン７４ｃと折り目ライン７４ｄとにより区切られた脇板７２の領域は、箱体部７９の内側でやや斜めに立設した内側壁７７ｃとなる。内側壁７７ｃの中央部はストッパ８１の先端部８１ａと当接し、箱体部７９の形状が崩れないようにされている。
【００６０】
上記のように構成された蛍光ランプ用包装体７０に蛍光ランプＢを組み込むときには、例えば、図１９〜図２１に示す手順によることが可能である。いずれか一方の脇板７２の折り目ライン７４ａ、７４ｂ、７４ｃを谷折りし、折り目ライン７４ｄを山折りし、脇板７２の先端辺の中央位置に形成された切込部７６をストッパ８１の付根に係合して、１つの箱体部７９を構成する。このとき、折り目ライン７４ｂを谷折りしてあるため、天板７７ｂからは基板７１の外側へ向かって突片７５が突出する。次に、箱体部７９に構成されていない他方の脇板７２の折り目ライン７４ａを谷折りし、当該脇板７２を蛍光ランプＢの中央中空部から通り抜けさせて、図２０に示すように蛍光ランプＢを基板１の周縁部に位置付ける。
【００６１】
この図２０に示された状態では、基板７１と脇板７２との接続部７３が、基板７１の側縁から蛍光ランプＢの管径より僅かに長い距離だけ、基板７１の内側に進んだ位置に設けられているため、蛍光ランプＢの直管部は突片７５の下側に押さえ込まれる。また、脇板７２の長さＬは、蛍光ランプＢの内径ａにほぼ等しくされているため、内側壁７７ｃの側端部７８、７８が、蛍光ランプＢの直管部に当接し、蛍光ランプＢの基板７１内における平面移動の内、脇板７２の折り目ライン７４ａ〜７４ｄと直交する方向への移動について位置規制がなされる。
【００６２】
次に、箱体部７９に構成されていない他方の脇板７２における折り目ライン７４ｂ、７４ｃを谷折りし、折り目ライン７４ｄを山折りし、脇板７２の先端辺の中央位置に形成された切込部７６をストッパ８１の付根に係合して、２つ目の箱体部７９を構成する。これにより図２１に示す状態が実現される。この図２１の状態にあっては、２つ目の箱体部７９において、折り目ライン７４ｂが谷折りされているため、天板７７ｂからは基板７１の外側へ向かって突片７５、７５が突出する。２つの箱体部７９に設けられた４枚の各突片７５は、平面移動について位置規制された蛍光ランプＢの少なくとも対向する２辺を構成する直管部において蛍光ランプＢを係止し、基板７１の面と直交する方向について蛍光ランプＢの脱落を防止する係止手段として機能する。
【００６３】
この図２１に示された状態では、基板７１と新たに箱体部７９を構成した脇板７２との接続部７３が、基板７１の側縁から蛍光ランプＢの管径より僅かに長い距離だけ、基板７１の内側に進んだ位置に設けられているため、蛍光ランプＢの直管部は突片７５、７５の下に押さえ込まれる。また、脇板７２の長さＬは、蛍光ランプＢの内径ａにほぼ等しくされているため、内側壁７７ｃの側端部７８、７８は、蛍光ランプＢの直管部に当接し、蛍光ランプＢの基板７１内における平面移動の内、脇板７２の折り目ライン７４ａ〜７４ｄと直交する方向への移動について位置規制がなされる。このように、箱退部７９、７９は、基板７１に設けられ、基板７１上に蛍光ランプＢを載置した際に、蛍光ランプＢの４辺を構成する直管部においてそれぞれの内側面にて当接し、蛍光ランプＢの基板７１内における平面移動を位置規制する平面移動規制手段を構成する。
【００６４】
斯して本実施例によれば、箱体部７９、７９が蛍光ランプＢの基板７１内における平面移動を位置規制し、４つの突片７５が、蛍光ランプＢの少なくとも対向する２辺を構成する直管部において係止し、基板７１の面に直交する方向について蛍光ランプＢの脱落を防止するので、蛍光ランプＢについて安定した保持を実現し、外部からの衝撃による破壊を回避することができる。特に、箱体部７９の内部が空洞であることから、蛍光ランプＢの曲管部にあっては、箱体部７９のいずれの位置にも触れることなく、蛍光ランプＢについて安定した保持が実現されている。このようにして蛍光ランプ用包装体７０に保持された蛍光ランプＢは、図２２に示すようにケース８４に収納される。この場合、蛍光ランプ用包装体７０とケース８４との寸法は、それぞれ図１に示す基板１０の寸法に対応するように設定される。このため、蛍光ランプＢが基板７１内において基板７１のいずれの辺からも外側へ飛び出ることなく、ケース８４に収納され、外部からの衝撃による破壊を回避することを可能としている。
【００６５】
以上、本発明の好適な実施例について説明したが、本発明は前記実施例に限定されることなく、本発明の精神を逸脱しない範囲内において、種々の設計変更を行うことができることは勿論である。
【図面の簡単な説明】
【００６６】
【図１】本発明に係る蛍光ランプ用包装体の共通する基本構成を示す説明図である。
【図２】本発明に係る蛍光ランプ用包装体の第１の実施例を示す平面図である。
【図３】図２に示す包装体の分解展開図であって、（ａ）は基板の展開平面図、  （ｂ）は補強板の平面図である。
【図４】本発明に係る包装体に適用するための蛍光ランプの実施例を示すものであって、（ａ）は蛍光ランプの平面図、（ｂ）は蛍光ランプの口金部分の側面図である。
【図５】図３における包装体の組み立て状態を示す説明図である。
【図６】図５における包装体に適用するカバー部材の斜視図である。
【図７】本発明に係る蛍光ランプ用包装体の第２の実施例を示す平面図である。
【図８】図７に示す包装体の分解展開図であって、（ａ）は基板の展開平面図、  （ｂ）は補強板の平面図である。
【図９】図８における包装体の組み立て状態を示す説明図である。
【図１０】本発明に係る蛍光ランプ用包装体の第３の実施例を示す平面図である。
【図１１】図１０に示す包装体の分解展開図であって、（ａ）は基板の展開平面図、（ｂ）は補強板の平面図である。
【図１２】図１１における包装体の組み立て状態を示す説明図である。
【図１３】本発明に係る蛍光ランプ用包装体の第４の実施例を示す平面図である。
【図１４】図１３に示す包装体の分解展開図であって一対の折曲結合基板の展開平面図である。
【図１５】図１４における包装体の組み立て状態を示す説明図である。
【図１６】本発明に係る蛍光ランプ用包装体の第５の実施例を示す組み立て状態の説明図である。
【図１７】本発明に係る蛍光ランプ用包装体の第６の実施例を示す展開図である。
【図１８】本発明に係る蛍光ランプ用包装体の第６の実施例を示す斜視図である。
【図１９】本発明に係る蛍光ランプ用包装体の第６の実施例について組み立てる過程を示す平面図である。
【図２０】本発明に係る蛍光ランプ用包装体の第６の実施例について組み立て、螢光ランプを実装する仮定を示す平面図である。
【図２１】本発明に係る蛍光ランプ用包装体の第６の実施例について組み立て、螢光ランプを実装完了した状態を示す平面図。図１３に示す包装体の分解展開図であって一対の折曲結合基板の展開平面図である。
【図２２】図２１に示した蛍光ランプが実装された蛍光ランプ用包装体をケースに収納する状態を示す斜視図である。
【符号の説明】
【００６７】
２０  包装体（第１の実施例）
２１  基板
２２Ａ、２２Ｂ  折曲片
２３ａ、２３ｂ  蛍光ランプ係止部
２４ａ〜２６ａ、２４ｂ〜２６ｂ  囲繞部
２８  補強板
Ｂ  蛍光ランプ
Ｃ  保護カバー
３０  包装体（第２の実施例）
３１  基板
３２Ａ、３２Ｂ、３２Ａ′、３２Ｂ′  折曲片
３３ａ、３３ｂ、３３ａ′、３３ｂ′  蛍光ランプ係止部
３４ａ〜３６ａ、３４ｂ〜３６ｂ  囲繞部
３４ａ′〜３６ａ′、３４ｂ′〜３６ｂ′  囲繞部
３８  補強板
４０  包装体（第３の実施例）
４１  基板
４２Ａ、４２Ｂ、４２Ａ′、４２Ｂ′  折曲片
４３ａ、４３ｂ、４３ａ′、４３ｂ′  蛍光ランプ係止部
４４ａ〜４６ａ、４４ｂ〜４６ｂ  囲繞部
４４ａ′〜４６ａ′、４４ｂ′〜４６ｂ′  囲繞部
４８  補強板
５０  包装体（第４の実施例）
５１Ａ、５１Ｂ  折曲結合基板
５２Ａ、５２Ｂ  折曲片
５３ａ、５３ｂ、５３ａ′、５３ｂ′  蛍光ランプ係止部
５４ａ〜５６ａ、５４ａ′〜５６ａ′  囲繞部
５４ｂ〜５６ｂ、５４ｂ′〜５６ｂ′  囲繞部
６０  包装体（第５の実施例）
６１  蛍光ランプ保持基板
６３  蛍光ランプ係止部
６４  収納箱体
７０  蛍光ランプ用包装体
７１  基板
７２  脇板
７３  接続部
７４a〜７４d  折り目ライン
７５  突片
７６  切込部
７７ａ  外側壁
７７ｂ  天板
７７ｃ  内側壁
７７ｄ  先端面
７８  側端部
７９  箱体部
８１  ストッパ
８１ａ  先端部
８３  折り目ライン
８４  ケース
【図１】
2005170506.tif 000003
【図２】
2005170506.tif 000004
【図３】
2005170506.tif 000005
【図４】
2005170506.tif 000006
【図５】
2005170506.tif 000007
【図６】
2005170506.tif 000008
【図７】
2005170506.tif 000009
【図８】
2005170506.tif 000010
【図９】
2005170506.tif 000011
【図１０】
2005170506.tif 000012
【図１１】
2005170506.tif 000013
【図１２】
2005170506.tif 000014
【図１３】
2005170506.tif 000015
【図１４】
2005170506.tif 000016
【図１５】
2005170506.tif 000017
【図１６】
2005170506.tif 000018
【図１７】
2005170506.tif 000019
【図１８】
2005170506.tif 000020
【図１９】
2005170506.tif 000021
【図２０】
2005170506.tif 000022
【図２１】
2005170506.tif 000023
【図２２】
2005170506.tif 000024